Podtech/llm-jp-corpus-v4-ja_patent huggingface dataset:
【手続補正書】
【提出日】平成26年9月1日(2014.9.1)
【手続補正１】
【補正対象書類名】特許請求の範囲
【補正対象項目名】全文
【補正方法】変更
【補正の内容】
【特許請求の範囲】
【請求項１】
一方の側面が開放されていて、開放面の端部の厚さが０.５〜２.５ｍｍのボディー部と、
前記ボディー部の開放面を密閉するカバー部と、
を含み、
前記ボディー部には、前記端部の厚さより厚いねじ締結部が設けられ、ねじによって前記カバー部と締結され、
前記ねじ締結部は、前記ねじが挿入される締結孔の中心が前記端部の中心線に位置し、前記ボディー部の側面の内側及び外側から垂直方向の半円柱形状に突出する
ことを特徴とする通信用筺体。
【請求項２】
前記ねじ締結部は、
前記ねじが挿入される締結孔の中心が前記端部の中心線から外側または内側に位置し、前記ボディー部の外側面から垂直方向の半円柱形状または前記ボディー部の内側面から垂直方向の半円柱形状に突出することを特徴とする請求項１に記載の通信用筺体。
【請求項３】
前記ボディー部と前記カバー部が相互当接する面には、先端が鋭い段差または相互噛合される凹凸面である気密維持部をさらに含むことを特徴とする請求項１または２に記載の通信用筺体。
【請求項４】
前記カバー部の下端部には、前記ボディー部の上端部が嵌着される溝が設けられることを特徴とする請求項１または２に記載の通信用筺体。
【請求項５】
前記ボディー部と前記カバー部との間には、前記ボディー部及び前記カバー部に比べてさらに軟質のシール部が設けられることを特徴とする請求項１または２に記載の通信用筺体。
【手続補正書】
【提出日】平成26年10月2日(2014.10.2)
【手続補正１】
【補正対象書類名】特許請求の範囲
【補正対象項目名】全文
【補正方法】変更
【補正の内容】
【特許請求の範囲】
【請求項１】
入力画像の注目画素とその周辺画素から、入力画像を増感した増感画像を得る増感部と、
前記増感画像の各画素の輝度値に基づいて、各画素のための補正係数を決定する補正係数決定部と、
前記補正係数決定部で決定された各画素のための前記補正係数を、前記増感画像の各画素の画素値に乗算して、補正後の画像信号を生成する補正係数乗算部とを備え、
前記増感部における増感倍率は画像内の全ての画素に対して一定であり、
前記補正係数決定部により決定される前記補正係数は、
前記増感画像の各画素の輝度値が第１の閾値未満であるときに１であり、
前記増感画像の各画素の輝度値が第２の閾値以上であるときに前記増感倍率の逆数であり、
前記増感画像の各画素の輝度値が前記第１の閾値以上で、前記第２の閾値未満であるときに前記補正係数決定部が出力する補正係数の値が、前記増感画像の各画素の輝度値の増加に対して、１から前記増感倍率の逆数へ次第に減少する
ことを特徴とする画像処理装置。
【請求項２】
前記増感部における増感倍率をＬとし、
前記増感画像の信号をＸｓとし、
前記第１の閾値をＴＨ１とし、
前記第２の閾値をＴＨ２とし、
前記補正係数をＫとするとき、次式
【数４】
2013123148.tif 000001
の関係が満たされるように前記補正係数が定められる
ことを特徴とする請求項１に記載の画像処理装置。
【請求項３】
前記補正係数乗算部が出力する、前記補正後の画像の画素値と前記入力画像の画素値を合成して出力する合成部をさらに備え、
前記合成部は、前記補正係数乗算部が出力する、前記補正後の画像の画素ごとに、
前記増感画像の輝度値が前記第２の閾値以上である場合、前記補正後の画像の画素値と前記入力画像の画素値を一定の割合で加算して出力し、
前記増感画像の輝度値が前記第２の閾値未満である場合、前記補正後の画像の画素値をそのまま出力する
ことを特徴とする請求項１又は２に記載の画像処理装置。
【請求項４】
前記増感画像を解析してその特徴を表す情報を得る画像解析部と、
前記画像解析部による画像解析結果に基づいて、前記第１の閾値及び前記第２の閾値を求める閾値算出部とを備え、
前記補正係数決定部は、前記閾値算出部が求めた前記第１の閾値及び前記第２の閾値を用いて、前記輝度値との比較を行う
ことを特徴とする請求項１から３のいずれか１項に記載の画像処理装置。
【請求項５】
前記画像解析部による前記画像解析結果は、前記増感画像の輝度のヒストグラムであり、
前記閾値算出部は、前記輝度のヒストグラムに基づいて前記第１の閾値及び前記第２の閾値を求める
ことを特徴とする請求項４に記載の画像処理装置。
【請求項６】
前記画像解析部は、前記増感画像の特定の領域を検出し、
前記閾値算出部は、前記画像解析部により検出された特定の領域の画像の特徴に基づいて前記第１の閾値及び前記第２の閾値を求めて出力する
ことを特徴とする請求項４又は５に記載の画像処理装置。
【請求項７】
入力画像の注目画素とその周辺画素から、入力画像を増感した増感画像を得る増感ステップと、
前記増感画像の各画素の輝度値に基づいて、各画素のための補正係数を決定する補正係数決定ステップと、
前記補正係数決定ステップで決定された各画素のための前記補正係数を、前記増感画像の各画素の画素値に乗算して、補正後の画像信号を生成する補正係数乗算ステップとを備え、
前記増感ステップにおける増感倍率は画像内の全ての画素に対して一定であり、
前記補正係数決定ステップにより決定される前記補正係数は、
前記増感画像の各画素の輝度値が第１の閾値未満であるときに１であり、
前記増感画像の各画素の輝度値が第２の閾値以上であるときに前記増感倍率の逆数であり、
前記増感画像の各画素の輝度値が前記第１の閾値以上で、前記第２の閾値未満であるときに前記補正係数決定ステップが出力する補正係数の値が、前記増感画像の各画素の輝度値の増加に対して、１から前記増感倍率の逆数へ次第に減少する
ことを特徴とする画像処理方法。
【手続補正２】
【補正対象書類名】明細書
【補正対象項目名】０００６
【補正方法】変更
【補正の内容】
【０００６】
本発明の画像処理装置は、
入力画像の注目画素とその周辺画素から、入力画像を増感した増感画像を得る増感部と、
前記増感画像の各画素の輝度値に基づいて、各画素のための補正係数を決定する補正係数決定部と、
前記補正係数決定部で決定された各画素のための前記補正係数を、前記増感画像の各画素の画素値に乗算して、補正後の画像信号を生成する補正係数乗算部とを備え、
前記増感部における増感倍率は画像内の全ての画素に対して一定であり、
前記補正係数決定部により決定される前記補正係数は、
前記増感画像の各画素の輝度値が第１の閾値未満であるときに１であり、
前記増感画像の各画素の輝度値が第２の閾値以上であるときに前記増感倍率の逆数であり、
前記増感画像の各画素の輝度値が前記第１の閾値以上で、前記第２の閾値未満であるときに前記補正係数決定部が出力する補正係数の値が、前記増感画像の各画素の輝度値の増加に対して、１から前記増感倍率の逆数へ次第に減少する
ことを特徴とする。
【手続補正３】
【補正対象書類名】明細書
【補正対象項目名】００５３
【補正方法】変更
【補正の内容】
【００５３】
閾値算出部８は、画像解析部７で得られた画像解析結果から、補正係数Ｋを求めるときに用いる閾値ＴＨ１及びＴＨ２を求めて出力する。
例えば、画像全体のコントラスト、輝度分布等に基づいて閾値ＴＨ１、ＴＨ２を定めても良く、特定の領域のコントラスト、輝度分布等に基づいて閾値ＴＨ１、ＴＨ２を定めても良く、特定の領域が検出されたどうかに基づいて閾値ＴＨ１、ＴＨ２を定めても良い。
【手続補正書】
【提出日】平成26年9月5日(2014.9.5)
【手続補正１】
【補正対象書類名】特許請求の範囲
【補正対象項目名】全文
【補正方法】変更
【補正の内容】
【特許請求の範囲】
【請求項１】
スピーカと、前記スピーカを収容する収容部を備えたケース体と、前記ケース体に形成された複数の係止片を前記スピーカの係合部に係止することで前記スピーカを固定するスピーカの固定構造において、
前記係止片は、前記スピーカの係合部が当接する傾斜部を有し、前記係合部を前記スピーカの中心方向に押圧するように形成されたことを特徴とするスピーカの固定構造。
【請求項２】
前記収容部は、前記係止片と対応する箇所に前記係止片が撓む際の隙間を有していることを特徴とする請求項１に記載のスピーカの固定構造。
【手続補正２】
【補正対象書類名】明細書
【補正対象項目名】０００６
【補正方法】変更
【補正の内容】
【０００６】
そこで、本発明は、スピーカと、前記スピーカを収容する収容部を備えたケース体と、前記ケース体に形成された複数の係止片を前記スピーカの係合部に係止することで前記スピーカを固定するスピーカの固定構造において、
前記係止片は、前記スピーカの係合部が当接する傾斜部を有し、前記係合部を前記スピーカの中心方向に押圧するように形成されたものである。
【手続補正書】
【提出日】平成26年1月14日(2014.1.14)
【手続補正１】
【補正対象書類名】特許請求の範囲
【補正対象項目名】全文
【補正方法】変更
【補正の内容】
【特許請求の範囲】
【請求項１】
コンピュータを、
到来を報知すべき時刻の設定を受け付ける時刻設定部、
前記時刻設定部により設定された時刻を、その時刻から所定の範囲内の時刻が設定された複数のゲーム装置で構成されたグループの生成を管理する管理サーバへ送信して、グループへの配属を要求するマッチング要求送信部、
前記管理サーバから、前記グループに属する他のゲーム装置の情報を取得するグループ情報取得部、
として機能させ、
前記マッチング要求送信部は、前記管理サーバに、新たなグループを生成して、生成されたグループに配属されることを要求するか、既存のグループに配属されることを要求するかを決定し、決定された方法でのグループへの配属を前記管理サーバに要求することを特徴とするゲーム制御プログラム。
【請求項２】
コンピュータを、
前記グループ情報取得部が取得した情報に基づいて、前記グループに属する他のゲーム装置との間で通信を行う通信部、
前記グループに属する他のゲーム装置との間で連携して実行されるゲームを前記時刻に開始するゲーム制御部、
として更に機能させることを特徴とする請求項１に記載のゲーム制御プログラム。
【請求項３】
コンピュータを、設定された時刻が到来したときにその旨を報知する報知部として更に機能させることを特徴とする請求項１又は２に記載のゲーム制御プログラム。
【請求項４】
前記マッチング要求送信部は、前記グループの定員数の逆数の確率で、新たなグループを生成して、生成されたグループに配属されることを要求すると決定することを特徴とする請求項１から３のいずれかに記載のゲーム制御プログラム。
【請求項５】
前記グループ情報取得部は、前記時刻を設定してゲームに参加している通常のユーザのゲーム装置の情報と、前記時刻を設定せずに、オブザーバとしてゲームに参加しているユーザのゲーム装置の情報とを、前記グループに属する他のゲーム装置の情報として取得することを特徴とする請求項１から４のいずれかに記載のゲーム制御プログラム。
【請求項６】
到来を報知すべき時刻の設定を受け付ける時刻設定部と、
前記時刻設定部により設定された時刻を、その時刻から所定の範囲内の時刻が設定された複数のゲーム装置で構成されたグループの生成を管理する管理サーバへ送信して、グループへの配属を要求するマッチング要求送信部と、
前記管理サーバから、前記グループに属する他のゲーム装置の情報を取得するグループ情報取得部と、
を備え、
前記マッチング要求送信部は、前記管理サーバに、新たなグループを生成して、生成されたグループに配属されることを要求するか、既存のグループに配属されることを要求するかを決定し、決定された方法でのグループへの配属を前記管理サーバに要求することを特徴とするゲーム装置。
【請求項７】
時刻設定部が、到来を報知すべき時刻の設定を受け付けるステップと、
マッチング要求送信部が、前記時刻設定部により設定された時刻を、その時刻から所定の範囲内の時刻が設定された複数のゲーム装置で構成されたグループの生成を管理する管理サーバへ送信して、グループへの配属を要求するステップと、
グループ情報取得部が、前記管理サーバから、前記グループに属する他のゲーム装置の情報を取得するステップと、
を含み、
前記マッチング要求送信部は、前記管理サーバに、新たなグループを生成して、生成されたグループに配属されることを要求するか、既存のグループに配属されることを要求するかを決定し、決定された方法でのグループへの配属を前記管理サーバに要求することを特徴とするゲーム制御方法。
【請求項８】
請求項１から５のいずれかに記載のゲーム制御プログラムを記録したコンピュータ読み取り可能な記録媒体。
【手続補正書】
【提出日】平成26年1月14日(2014.1.14)
【手続補正１】
【補正対象書類名】特許請求の範囲
【補正対象項目名】全文
【補正方法】変更
【補正の内容】
【特許請求の範囲】
【請求項１】
コンピュータを、
他のゲーム装置との間の通信を制御する通信部、
到来を報知すべき時刻を受け付けて設定する時刻設定部、
前記時刻設定部により設定された時刻に開始されるゲームを実行し、前記ゲームが開始されてから前記ゲームに成功したと判定されるまでアラーム音を出力するゲーム制御部、
自装置に対応するアイコン又はオブジェクトをゲーム画面に表示する自装置オブジェクト制御部、
前記通信部を介して、前記他のゲーム装置が、自装置よりも先に前記ゲームに成功した旨の情報を取得すると、そのゲーム装置に対応するアイコン又はオブジェクトを、前記自装置に対応するアイコン又はオブジェクトよりも優先して前記ゲーム画面に表示する他装置オブジェクト制御部、
として機能させ、
前記ゲーム制御部は、入力装置を介して、前記自装置に対応するアイコン又はオブジェクトに対する操作入力を受け付けると、前記ゲームに成功したと判定することを特徴とするゲーム制御プログラム。
【請求項２】
コンピュータを、
前記時刻設定部により設定された時刻を、その時刻から所定の範囲内の時刻が設定された複数のゲーム装置で構成されたグループの生成を管理する管理サーバへ送信して、グループへの配属を要求するマッチング要求送信部、
前記管理サーバから、前記グループに属する他のゲーム装置の情報を取得するグループ情報取得部、として更に機能させ、
前記通信部は、前記グループ情報取得部が取得した情報に基づいて、前記グループに属する他のゲーム装置との間の通信を制御する
ことを特徴とする請求項１に記載のゲーム制御プログラム。
【請求項３】
コンピュータを、
入力装置を介して、前記他装置に対応するアイコン又はオブジェクトに対する操作入力を受け付けると、操作入力を受け付けたアイコン又はオブジェクトに対応する装置に、受け付けた操作入力を送信するインタラクション送信部、
他装置から送信された操作入力を受信すると、操作入力の送信元の装置に対応するアイコン又はオブジェクトに、受信した操作入力を反映させるインタラクション受信部、
として更に機能させる
ことを特徴とする請求項１又は２に記載のゲーム制御プログラム。
【請求項４】
前記他装置オブジェクト制御部は、入力装置を介して、前記他装置に対応するアイコン又はオブジェクトに対する操作入力を受け付けると、前記他装置に対応するアイコン又はオブジェクトを移動させることを特徴とする請求項１から３のいずれかに記載のゲーム制御プログラム。
【請求項５】
他のゲーム装置との間の通信を制御する通信部と、
到来を報知すべき時刻を受け付けて設定する時刻設定部と、
前記時刻設定部により設定された時刻に開始されるゲームを実行し、前記ゲームが開始されてから前記ゲームに成功したと判定されるまでアラーム音を出力するゲーム制御部と、
自装置に対応するアイコン又はオブジェクトをゲーム画面に表示する自装置オブジェクト制御部と、
前記通信部を介して、前記他のゲーム装置が、自装置よりも先に前記ゲームに成功した旨の情報を取得すると、そのゲーム装置に対応するアイコン又はオブジェクトを、前記自装置に対応するアイコン又はオブジェクトよりも優先して前記ゲーム画面に表示する他装置オブジェクト制御部と、
を備え、
前記ゲーム制御部は、入力装置を介して、前記自装置に対応するアイコン又はオブジェクトに対する操作入力を受け付けると、前記ゲームに成功したと判定する
ことを特徴とするゲーム装置。
【請求項６】
通信部が、他のゲーム装置との間の通信を制御するステップと、
時刻設定部が、到来を報知すべき時刻を受け付けて設定するステップと、
ゲーム制御部が、前記時刻設定部により設定された時刻に開始されるゲームを実行するステップと、
前記ゲーム制御部が、前記ゲームが開始されてから前記ゲームに成功したと判定されるまでアラーム音を出力するステップと、
自装置オブジェクト制御部が、自装置に対応するアイコン又はオブジェクトをゲーム画面に表示するステップと、
前記通信部を介して、前記他のゲーム装置が、自装置よりも先に前記ゲームに成功した旨の情報を取得すると、他装置オブジェクト制御部が、そのゲーム装置に対応するアイコン又はオブジェクトを、前記自装置に対応するアイコン又はオブジェクトよりも優先して前記ゲーム画面に表示するステップと、
前記ゲーム制御部が、入力装置を介して、前記自装置に対応するアイコン又はオブジェクトに対する操作入力を受け付けると、前記ゲームに成功したと判定するステップと、
を含むことを特徴とするゲーム制御方法。
【請求項７】
請求項１から４のいずれかに記載のゲーム制御プログラムを記録したコンピュータ読み取り可能な記録媒体。
【手続補正書】
【提出日】平成26年10月23日(2014.10.23)
【手続補正１】
【補正対象書類名】特許請求の範囲
【補正対象項目名】全文
【補正方法】変更
【補正の内容】
【特許請求の範囲】
【請求項１】
生体に接触可能な生体接触部と、
グリップ部と、
接触あるいは接近によって操作が行われる非機械式スイッチと、
前記非機械式スイッチへの操作に基づいて検査条件の切り換えを通知する通知手段と、
を有することを特徴とする生体検査用プローブ。
【請求項２】
前記検査条件が表示されるモニターが設けられていることを特徴とする請求項１に記載の生体検査用プローブ。
【請求項３】
前記モニターは、前記非機械式スイッチを兼ねていることを特徴とする請求項２に記載の生体検査用プローブ。
【請求項４】
前記通知手段は、有線で操作信号を出力する信号出力部であることを特徴とする請求項１乃至３の何れか一項に記載の生体検査用プローブ。
【請求項５】
前記非機械式スイッチは、光学式スイッチであることを特徴とする請求項１乃至４の何れか一項に記載の生体検査用プローブ。
【請求項６】
前記光学式スイッチは、赤外光の発光および受光を利用した赤外線スイッチであること
を特徴とする請求項５に記載の生体検査用プローブ。
【請求項７】
前記非機械式スイッチは、凸状領域または凹状領域部に設けられていることを特徴とする請求項１乃至６の何れか一項に記載の生体検査用プローブ。
【請求項８】
前記生体接触部は、超音波の発生および受信を行うことを特徴とする請求項１乃至７の何れか一項に記載の生体検査用プローブ。
【手続補正書】
【提出日】平成26年8月22日(2014.8.22)
【手続補正１】
【補正対象書類名】特許請求の範囲
【補正対象項目名】全文
【補正方法】変更
【補正の内容】
【特許請求の範囲】
【請求項１】
粒子および熱硬化性樹脂を含むワニスを塗布するための塗布装置であり、
前記ワニスを撹拌するためのスタティックミキサーと、
前記スタティックミキサーの吐出方向下流側に設けられるノズルとを備え、
前記ノズルは、前記スタティックミキサーにより撹拌されながら吐出されるワニスを、前記吐出方向に直交する第１方向に広げるためのマニホールドを備え、
前記マニホールドには、前記第１方向長さが、前記吐出方向下流側に向かうに従って、次第に長くなる拡大部が設けられることを特徴とする、塗布装置。
【請求項２】
前記マニホールドは、
前記スタティックミキサーにより吐出されるワニスが流入され、前記吐出方向に対する直交方向に沿う開口断面積が、前記吐出方向下流側に向かうに従って拡大する流入部と、
前記流入部の前記吐出方向下流側に設けられ、ワニスが前記流入部から流出され、前記直交方向に沿う開口断面積が、前記吐出方向に向かうに従って縮小する流出部と
を備え、
前記拡大部は、前記流入部に設けられていることを特徴とする、請求項１に記載の塗布装置。
【請求項３】
前記スタティックミキサーは、前記吐出方向に向かうに従ってねじられたねじり羽根を前記吐出方向に沿って６個以上備えることを特徴とする、請求項１または２に記載の塗布装置。
【請求項４】
前記拡大部を区画するための、前記マニホールドに対して着脱可能なアタッチメント部材が、前記マニホールドの前記吐出方向上流側における前記第１方向端部に設けられていることを特徴とする、請求項１〜３のいずれか一項に記載の塗布装置。
【請求項５】
前記ノズルは、前記拡大部を通過するワニスを目視することのできる透明部材を備えていることを特徴とする、請求項１〜４のいずれか一項に記載の塗布装置。
【手続補正２】
【補正対象書類名】明細書
【補正対象項目名】００２３
【補正方法】変更
【補正の内容】
【００２３】
図３において、紙面左右方向を「左右方向」（第１方向あるいは幅方向）とし、紙面上下方向を「前後方向」（第２方向あるいは厚み方向）とし、紙厚方向を「上下方向」（第３方向あるいは吐出方向）とし、具体的には、図３に記載の方向矢印に準拠する。図３以外の図面についても、図３の方向を基準とする。
【手続補正３】
【補正対象書類名】明細書
【補正対象項目名】００２７
【補正方法】変更
【補正の内容】
【００２７】
ポンプ３は、タンク２と配管６１を介して接続されており、具体的には、タンク２の後側に配置されている。ポンプ３は、タンク２内に貯蔵されるワニスをスタティックミキサー４に圧力を負荷して吐出できるポンプであれば特に限定されず、例えば、モーノポンプ（具体的には、ヘイシンモーノポンプ（兵神装備社製）として市販されるポンプなど）などが挙げられる。
【手続補正４】
【補正対象書類名】明細書
【補正対象項目名】００３６
【補正方法】変更
【補正の内容】
【００３６】
下壁４６ｂは、上壁４６ａの下端部に隣接して設けられている。下壁４６ｂは、図４および図８に示すように、左右方向に延びる底面視略矩形状、かつ、正面視略矩形状に形成されている。また、下壁４６ｂは、図６および図７に示すように、側面視において、その下面が前側に向かうに従って下方に直線状に傾斜する傾斜面として形成されるとともに、その上面４８が前側に向かうに従って下方に直線状に傾斜する傾斜面として形成される。下壁４６ｂの上面４８の上端縁は、上壁４６ａの下面４７の下端縁に連続するように形成されている。
【手続補正５】
【補正対象書類名】明細書
【補正対象項目名】００６３
【補正方法】変更
【補正の内容】
【００６３】
また、シム１３を、上壁４６ａの前面および１対の側壁４６ｃの前面に接触させる。
【手続補正６】
【補正対象書類名】明細書
【補正対象項目名】０１２４
【補正方法】変更
【補正の内容】
【０１２４】
なお、スタティックミキサー４におけるねじり羽根７の数は、複数であれば特に限定されず、好ましくは、６以上（具体的には、左ねじり羽根９の数が３以上、右ねじり羽根８の数が３以上）、また、例えば、３０以下（具体的には、左ねじり羽根９の数が１５以下、右ねじり羽根８の数が１５以下）である。この塗布装置１では、スタティックミキサー４は、ねじり羽根７を６個以上備えるので、ワニスにおける粒子および樹脂の均一性をより一層十分に確保することができる。
【手続補正７】
【補正対象書類名】図面
【補正対象項目名】図３
【補正方法】変更
【補正の内容】
【図３】
2014188436.tif 000001
【手続補正書】
【提出日】平成26年10月17日(2014.10.17)
【手続補正１】
【補正対象書類名】明細書
【補正対象項目名】００２４
【補正方法】変更
【補正の内容】
【００２４】
この搬送過程で、処理液皿４４Ｂからアニロックスローラ４４Ｃにより一定量に計量された処理液が付与された塗布ローラ４４Ａを用紙Ｐの表面に押圧当接させることで、用紙Ｐの表面に処理液が塗布される。なお、処理液を塗布する形態はローラ塗布に限定されず、インクジェット方式、ブレードによる塗布など、他の形態を適用することも可能である。
【手続補正２】
【補正対象書類名】明細書
【補正対象項目名】００８４
【補正方法】変更
【補正の内容】
【００８４】
図５に示す態様では、複数のインク供給路２１４及び複数の循環共通流路２２８がノズル列間に交互に配置され、かつ、インク供給本流路２１４ＡはＹ方向の一方の端（図５の下側の端）に配置され、循環本流路２２８ＡはＹ方向の他方の端（図５の上側の端）に配置される。
【手続補正３】
【補正対象書類名】明細書
【補正対象項目名】０１３８
【補正方法】変更
【補正の内容】
【０１３８】
同一のノズル部２８１(図１０における上側のノズル部)と連通する接続口３０２と接続口３０４との距離Ｄ１は、隣接するノズル部２８１（同図における下側のノズル部）と連通する接続口３０６（２つの接続口のうち接続口３０２に近い方の接続口）と接続口３０２との距離（循環共通流路２２８における流路長）Ｄ２未満（Ｄ１＜Ｄ２）となっている。
【手続補正４】
【補正対象書類名】明細書
【補正対象項目名】０１４４
【補正方法】変更
【補正の内容】
【０１４４】
同様に、循環個別流路２２７は、循環出口２２７Ａと接続される第１流路２２７Ｂ、及び接続口３０４と接続される第２流路２２７Ｃを含んで構成され、第１流路２２６Ｂと第２流路２２７Ｃとは、直交（交差）している。
【手続補正５】
【補正対象書類名】明細書
【補正対象項目名】０１７７
【補正方法】変更
【補正の内容】
【０１７７】
図１４に示す態様において、本流６２６Ｂの流体抵抗値をＲ１１１、支流６２６Ｃの流体抵抗値をＲ１１２、支流６２６Ｄの流体抵抗値をＲ１１３とし、本流６２７Ｂの流体抵抗値をＲ２１１、支流６２７Ｃの流体抵抗値をＲ２１２、支流６２７Ｄの流体抵抗値をＲ２１３とすると、Ｒ１１１＋（Ｒ１１２×Ｒ１１３）／（Ｒ１１２＋Ｒ１１３）＝Ｒ２１１＋（Ｒ２１２×Ｒ２１３）／（Ｒ２１２＋Ｒ２１３）の関係を満たしている。
【手続補正書】
【提出日】平成26年10月10日(2014.10.10)
【手続補正１】
【補正対象書類名】特許請求の範囲
【補正対象項目名】全文
【補正方法】変更
【補正の内容】
【特許請求の範囲】
【請求項１】
熱間圧延工程、形状矯正工程および加速冷却工程の順序で厚鋼板を製造する方法において、前記形状矯正工程と前記加速冷却工程との間に、厚鋼板表面温度をＡｒ３変態点未満に空冷することにより、あるいは、厚鋼板の上下面に冷却水を水量密度０．３〜２．２ｍ３／ｍ２・ｍｉｎで供給して水冷することにより、厚鋼板表面を変態させる温度調整工程、および、前記温度調整工程の後でかつ前記加速冷却工程の前に厚鋼板の表面にエネルギー密度が０．０５Ｊ／ｍｍ２以上の高圧水を噴射するデスケーリング工程を有することを特徴とする厚鋼板の製造方法。
【請求項２】
前記デスケーリング工程において、前記高圧水の噴射圧力を１０ＭＰａ以上とすることを特徴とする請求項１に記載の厚鋼板の製造方法。
【請求項３】
熱間圧延装置、形状矯正装置、温度調整装置、デスケーリング装置および加速冷却装置をこの順序で搬送方向上流側から配置し、前記温度調整装置では、厚鋼板表面温度をＡｒ３変態点未満に空冷し、あるいは、厚鋼板の上下面に冷却水を水量密度０．３〜２．２ｍ３／ｍ２・ｍｉｎで供給することにより水冷し、厚鋼板表面を変態させるとともに、前記デスケーリング装置では、厚鋼板の表面にエネルギー密度が０．０５Ｊ／ｍｍ２以上の高圧水を噴射することを特徴とする厚鋼板の製造設備。
【請求項４】
前記デスケーリング装置において、前記高圧水の噴射圧力を１０ＭＰａ以上とすることを特徴とする請求項３に記載の厚鋼板の製造設備。
【手続補正書】
【提出日】平成26年10月27日(2014.10.27)
【手続補正１】
【補正対象書類名】特許請求の範囲
【補正対象項目名】全文
【補正方法】変更
【補正の内容】
【特許請求の範囲】
【請求項１】
所定の回転開始操作を受けて、複数種類の図柄が描かれた複数の回胴を回転させ、所定の回転停止操作を受けて前記複数の回胴の回転を停止させることで１回の図柄変動遊技を行う回胴式遊技機であって、
前記回転開始操作が行われてから１回の前記図柄変動遊技が終了するまでの間に、当該図柄変動遊技の進行を停滞させ、所定の操作部の操作に基づいて回転中の回胴を仮停止させる回胴演出を実行可能な回胴演出実行手段と、
前記回胴演出を再度実行させるか否かを決定するための再実行抽選を行う再実行抽選手段と、
前記再実行抽選にて前記回胴演出を再度実行させないと決定された場合に、前記回胴演出を終了させ、停滞中の前記図柄変動遊技を再開する回胴演出終了手段と、
を備え、
前記回胴演出実行手段は、前記再実行抽選にて前記回胴演出を再度実行させると決定された場合には、前記回胴演出にて仮停止させた回胴の回転を開始して前記回胴演出を再度実行する
ことを特徴とする回胴式遊技機。
【請求項２】
請求項１に記載の回胴式遊技機において、
前記所定の操作部として、前記複数の回胴の各々に対応して複数の操作部が設けられており、
前記再実行抽選手段は、前記複数の操作部の各々の操作に基づき複数回の前記再実行抽選を行い、
前記回胴演出実行手段は、前記複数回の再実行抽選のうち前記回胴演出の再度実行が少なくとも１回決定されると、前記回胴演出を再度実行し、
前記回胴演出終了手段は、前記複数回の再実行抽選の全てで前記回胴演出を再度実行させないと決定されると、前記回胴演出を終了させる
ことを特徴とする回胴式遊技機。
【請求項３】
請求項１に記載の回胴式遊技機において、
前記所定の操作部として、前記複数の回胴の各々に対応して複数の操作部が設けられており、
前記再実行抽選手段は、前記複数の操作部の各々の操作に基づき複数回の前記再実行抽選を行い、
前記回胴演出実行手段は、
前記複数回の再実行抽選の全てで前記回胴演出の再度実行が決定されると、前記回胴演出を再度実行し、
前記回胴演出終了手段は、前記複数回の再実行抽選のうち前記回胴演出を再度実行させないと少なくとも１回決定されると、前記回胴演出を終了させる
ことを特徴とする回胴式遊技機。
【請求項４】
請求項１ないし請求項３の何れか一項に記載の回胴式遊技機において、
前記回胴演出が再度実行された回数が規定回数になると、前記再実行抽選で前記回胴演出の再度実行が決定される確率を変化させる確率変更手段を備える
ことを特徴とする回胴式遊技機。
【請求項５】
請求項１ないし請求項４の何れか一項に記載の回胴式遊技機において、
前記回胴演出にて前記複数の回胴を仮停止させて何れかの図柄を表示するように制御する仮停止制御手段を備え、
前記仮停止制御手段は、
前記再実行抽選にて前記回胴演出の再度実行が決定されると、前記回胴演出の再度実行を示す再実行図柄を表示して前記回胴を仮停止可能とし、
前記再実行抽選にて前記回胴演出を再度実行させないと決定されると、前記再実行図柄を表示せずに前記回胴を仮停止する
ことを特徴とする回胴式遊技機。
【手続補正２】
【補正対象書類名】明細書
【補正対象項目名】０００７
【補正方法】変更
【補正の内容】
【０００７】
上述した課題の少なくとも一部を解決するために、本発明の回胴式遊技機は次の構成を採用した。すなわち、
所定の回転開始操作を受けて、複数種類の図柄が描かれた複数の回胴を回転させ、所定の回転停止操作を受けて前記複数の回胴の回転を停止させることで１回の図柄変動遊技を行う回胴式遊技機であって、
前記回転開始操作が行われてから１回の前記図柄変動遊技が終了するまでの間に、当該図柄変動遊技の進行を停滞させ、所定の操作部の操作に基づいて回転中の回胴を仮停止させる回胴演出を実行可能な回胴演出実行手段と、
前記回胴演出を再度実行させるか否かを決定するための再実行抽選を行う再実行抽選手段と、
前記再実行抽選にて前記回胴演出を再度実行させないと決定された場合に、前記回胴演出を終了させ、停滞中の前記図柄変動遊技を再開する回胴演出終了手段と、
を備え、
前記回胴演出実行手段は、前記再実行抽選にて前記回胴演出を再度実行させると決定された場合には、前記回胴演出にて仮停止させた回胴の回転を開始して前記回胴演出を再度実行する
ことを特徴とする。
【手続補正３】
【補正対象書類名】明細書
【補正対象項目名】０００９
【補正方法】変更
【補正の内容】
【０００９】
このような本発明の回胴式遊技機では、１回の図柄変動遊技が終了するまでに、図柄変動遊技を停滞させ、所定の操作部が操作されたことに基づいて、回転中の回胴を仮停止させる回胴演出を実行可能となっており、回胴演出を再度実行するか否かを決定するための再実行抽選を行い、回胴演出の再度実行が決定されることでもう一度回胴演出の実行が可能となる。これにより、図柄変動遊技の進行が停滞している回胴演出中において、遊技者に所定の操作部を積極的に操作させることができ、その結果、回胴演出における遊技興趣を向上させることが可能となる。
【手続補正４】
【補正対象書類名】明細書
【補正対象項目名】００１０
【補正方法】変更
【補正の内容】
【００１０】
また、上述した本発明の回胴式遊技機では、
前記所定の操作部として、前記複数の回胴の各々に対応して複数の操作部が設けられており、
前記再実行抽選手段は、前記複数の操作部の各々の操作に基づき複数回の前記再実行抽選を行い、
前記回胴演出実行手段は、前記複数回の再実行抽選のうち前記回胴演出の再度実行が少なくとも１回決定されると、前記回胴演出を再度実行し、
前記回胴演出終了手段は、前記複数回の再実行抽選の全てで前記回胴演出を再度実行させないと決定されると、前記回胴演出を終了させる
こととしてもよい。
【手続補正５】
【補正対象書類名】明細書
【補正対象項目名】００１２
【補正方法】変更
【補正の内容】
【００１２】
また、前述した本発明の回胴式遊技機では、
前記所定の操作部として、前記複数の回胴の各々に対応して複数の操作部が設けられており、
前記再実行抽選手段は、前記複数の操作部の各々の操作に基づき複数回の前記再実行抽選を行い、
前記回胴演出実行手段は、
前記複数回の再実行抽選の全てで前記回胴演出の再度実行が決定されると、前記回胴演出を再度実行し、
前記回胴演出終了手段は、前記複数回の再実行抽選のうち前記回胴演出を再度実行させないと少なくとも１回決定されると、前記回胴演出を終了させる
こととしてもよい。
【手続補正６】
【補正対象書類名】明細書
【補正対象項目名】００１６
【補正方法】変更
【補正の内容】
【００１６】
また、こうした本発明の回胴式遊技機では、
前記回胴演出にて前記複数の回胴を仮停止させて何れかの図柄を表示するように制御する仮停止制御手段を備え、
前記仮停止制御手段は、
前記再実行抽選にて前記回胴演出の再度実行が決定されると、前記回胴演出の再度実行を示す再実行図柄を表示して前記回胴を仮停止可能とし、
前記再実行抽選にて前記回胴演出を再度実行させないと決定されると、前記再実行図柄を表示せずに前記回胴を仮停止する
こととしてもよい。
【手続補正書】
【提出日】平成26年10月27日(2014.10.27)
【手続補正１】
【補正対象書類名】特許請求の範囲
【補正対象項目名】全文
【補正方法】変更
【補正の内容】
【特許請求の範囲】
【請求項１】
所定の回転開始操作を受けて、複数種類の図柄が描かれた複数の回胴を回転させ、所定の回転停止操作を受けて前記複数の回胴の回転を停止させることで１回の図柄変動遊技を行う回胴式遊技機であって、
前記回転開始操作が行われてから１回の前記図柄変動遊技が終了するまでの間に、当該図柄変動遊技の進行を停滞させ、前記複数の回胴の各々に対応して設けられた複数の操作部の操作に基づいて、回転中の回胴を仮停止させる回胴演出を実行可能な回胴演出実行手段と、
前記回胴演出を再度実行させるか否かを決定するための再実行可否決定処理を実行する再実行可否決定手段と、
前記再実行可否決定処理にて前記回胴演出を再度実行させないと決定された場合に、前記回胴演出を終了させ、停滞中の前記図柄変動遊技を再開する回胴演出終了手段と、
前記複数の操作部に対する複数通りの操作順序の中から操作順序を決定する操作順序決定手段と、
を備え、
前記再実行可否決定処理では、
前記複数の操作部が操作された順序が前記操作順序と一致する場合に、前記回胴演出を再度実行させると決定し、
前記複数の操作部が操作された順序が前記操作順序と一致しない場合に、前記回胴演出を再度実行させないと決定し、
前記回胴演出実行手段は、前記再実行可否決定処理にて前記回胴演出を再度実行させると決定された場合には、前記回胴演出にて仮停止させた回胴の回転を開始して前記回胴演出を再度実行する
ことを特徴とする回胴式遊技機。
【請求項２】
請求項１に記載の回胴式遊技機において、
前記回胴演出にて前記複数の回胴を仮停止させて何れかの図柄組合せを表示するように制御する仮停止制御手段を備え、
前記仮停止制御手段は、
前記複数の操作部が操作された順序が前記操作順序と一致する場合には、前記回胴演出の再度実行を示す図柄組合せを表示して前記回胴を仮停止し、
前記複数の操作部が操作された順序が前記操作順序と一致しない場合には、前記回胴演出の再度実行を示さない図柄組合せを表示して前記回胴を仮停止する
ことを特徴とする回胴式遊技機。
【請求項３】
請求項１または請求項２に記載の回胴式遊技機において、
前記回胴演出が再度実行される場合に、特典を付与する特典付与手段を備え、
前記特典付与手段は、前記回胴演出が再度実行された回数が増加するに従って、有益な特典を付与する
ことを特徴とする回胴式遊技機。
【手続補正２】
【補正対象書類名】明細書
【補正対象項目名】０００７
【補正方法】変更
【補正の内容】
【０００７】
上述した課題の少なくとも一部を解決するために、本発明の回胴式遊技機は次の構成を採用した。すなわち、
所定の回転開始操作を受けて、複数種類の図柄が描かれた複数の回胴を回転させ、所定の回転停止操作を受けて前記複数の回胴の回転を停止させることで１回の図柄変動遊技を行う回胴式遊技機であって、
前記回転開始操作が行われてから１回の前記図柄変動遊技が終了するまでの間に、当該図柄変動遊技の進行を停滞させ、前記複数の回胴の各々に対応して設けられた複数の操作部の操作に基づいて、回転中の回胴を仮停止させる回胴演出を実行可能な回胴演出実行手段と、
前記回胴演出を再度実行させるか否かを決定するための再実行可否決定処理を実行する再実行可否決定手段と、
前記再実行可否決定処理にて前記回胴演出を再度実行させないと決定された場合に、前記回胴演出を終了させ、停滞中の前記図柄変動遊技を再開する回胴演出終了手段と、
前記複数の操作部に対する複数通りの操作順序の中から操作順序を決定する操作順序決定手段と、
を備え、
前記再実行可否決定処理では、
前記複数の操作部が操作された順序が前記操作順序と一致する場合に、前記回胴演出を再度実行させると決定し、
前記複数の操作部が操作された順序が前記操作順序と一致しない場合に、前記回胴演出を再度実行させないと決定し、
前記回胴演出実行手段は、前記再実行可否決定処理にて前記回胴演出を再度実行させると決定された場合には、前記回胴演出にて仮停止させた回胴の回転を開始して前記回胴演出を再度実行する
ことを特徴とする。
【手続補正３】
【補正対象書類名】明細書
【補正対象項目名】００１０
【補正方法】変更
【補正の内容】
【００１０】
また、上述した本発明の回胴式遊技機では、
前記回胴演出にて前記複数の回胴を仮停止させて何れかの図柄組合せを表示するように制御する仮停止制御手段を備え、
前記仮停止制御手段は、
前記複数の操作部が操作された順序が前記操作順序と一致する場合には、前記回胴演出の再度実行を示す図柄組合せを表示して前記回胴を仮停止し、
前記複数の操作部が操作された順序が前記操作順序と一致しない場合には、前記回胴演出の再度実行を示さない図柄組合せを表示して前記回胴を仮停止する
こととしてもよい。
【手続補正４】
【補正対象書類名】明細書
【補正対象項目名】００１２
【補正方法】変更
【補正の内容】
【００１２】
また、こうした本発明の回胴式遊技機では、
前記回胴演出が再度実行される場合に、特典を付与する特典付与手段を備え、
前記特典付与手段は、前記回胴演出が再度実行された回数が増加するに従って、有益な特典を付与する
こととしてもよい。
【手続補正書】
【提出日】平成26年1月17日(2014.1.17)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
書き込みワード線と、基準電位または前記基準電位より低い電位が少なくとも与えられる読み出しワード線と、ビット線と、ソース線と、信号線と、複数のメモリセルでなるメモリセルアレイと、第１の駆動回路と、第２の駆動回路と、電位変換回路と、を有し、
前記メモリセルの一は、
第１のゲート、第１のソース、第１のドレイン、及び第１のチャネル形成領域を含む第１のトランジスタと、
第２のゲート、第２のソース、第２のドレイン、及び第２のチャネル形成領域を含む第２のトランジスタと、
容量素子と、を有し、
前記第１のチャネル形成領域は珪素を含む半導体材料で構成され、前記第２のチャネル形成領域は酸化物半導体層（ただし膜厚が５ｎｍ以下の酸化物半導体層を除く）に設けられ、
前記第１のゲートは、前記第２のドレインと前記第２のソースの一方、および、前記容量素子の二つの電極の一方に電気的に接続し、
第２のトランジスタがＯＦＦすることにより、前記容量素子は、前記二つの電極間の電圧を保持し、
前記第１の駆動回路は、前記ビット線を介して、前記第１のドレインと前記第１のソースの一方と電気的に接続され、また、前記信号線を介して、前記第２のドレインと前記第２のソースの他方と電気的に接続され、
前記第２の駆動回路は、前記読み出しワード線を介して前記容量素子の電極の他方と電気的に接続され、また、前記書き込みワード線を介して、前記第２のゲートと電気的に接続され、
前記電位変換回路は、前記第２の駆動回路に前記基準電位より低い電位を出力する半導体装置。
【請求項２】
書き込みワード線と、基準電位または前記基準電位より低い電位が少なくとも与えられる読み出しワード線と、ビット線と、ソース線と、信号線と、複数の不揮発性メモリセルでなるメモリセルアレイと、第１の駆動回路と、第２の駆動回路と、電位変換回路と、を有し、
前記メモリセルの一は、
第１のゲート、第１のソース、第１のドレイン、及び第１のチャネル形成領域を含む第１のトランジスタと、
第２のゲート、第２のソース、第２のドレイン、及び第２のチャネル形成領域を含む第２のトランジスタと、
容量素子と、を有し、
前記第１のチャネル形成領域は珪素を含む半導体材料で構成され、前記第２のチャネル形成領域は酸化物半導体層に設けられ、
前記第１のゲートは、前記第２のドレインと前記第２のソースの一方、および、前記容量素子の二つの電極の一方に電気的に接続し、
第２のトランジスタがＯＦＦすることにより、前記容量素子は、前記二つの電極間の電圧を保持し、
前記第１の駆動回路は、前記ビット線を介して、前記第１のドレインと前記第１のソースの一方と電気的に接続され、また、前記信号線を介して、前記第２のドレインと前記第２のソースの他方と電気的に接続され、
前記第２の駆動回路は、前記読み出しワード線を介して前記容量素子の電極の他方と電気的に接続され、また、前記書き込みワード線を介して、前記第２のゲートと電気的に接続され、
前記電位変換回路は、前記第２の駆動回路に前記基準電位より低い電位を出力する半導体装置。
【請求項３】
前記ビット線と前記ソース線との間に、前記メモリセルの一を含む複数のメモリセルが並列に接続された請求項１または請求項２に記載の半導体装置。
【請求項４】
前記第１の駆動回路は、前記信号線と電気的に接続された遅延回路を有する請求項１乃至３のいずれか一に記載の半導体装置。
【請求項５】
前記第２の駆動回路は、前記電位変換回路、および、前記書き込みワード線または前記読み出しワード線と電気的に接続されたレベルシフト回路を有する請求項１乃至４のいずれか一に記載の半導体装置。
【手続補正書】
【提出日】平成26年2月11日(2014.2.11)
【手続補正１】
【補正対象書類名】明細書
【補正対象項目名】発明の名称
【補正方法】変更
【補正の内容】
【発明の名称】表示装置及び電子機器
【手続補正２】
【補正対象書類名】特許請求の範囲
【補正対象項目名】全文
【補正方法】変更
【補正の内容】
【特許請求の範囲】
【請求項１】
第１の画素と、第２の画素と、を有し、
前記第１の画素は、第１の表示素子部と、第１のフォトセンサ部と、を有し、
前記第２の画素は、第２の表示素子部と、第２のフォトセンサ部と、を有し、
前記第１のフォトセンサ部は、可視光線を検出する機能を有する第１のフォトダイオードを有し、
前記第２のフォトセンサ部は、赤外線を検出する機能を有する第２のフォトダイオードを有することを特徴とする表示装置。
【請求項２】
請求項１において、
前記第１のフォトダイオードは、非晶質シリコンを含むｉ型半導体層を有するｐｉｎ型フォトダイオードであることを特徴とする表示装置。
【請求項３】
請求項１または２において、
前記第２のフォトダイオードは、結晶性シリコンを含むｉ型半導体層を有するｐｉｎ型フォトダイオードであることを特徴とする表示装置。
【請求項４】
請求項１乃至３のいずれか一において、
前記第２のフォトセンサ部は、赤外線を透過し、かつ、可視光線を吸収する機能を有するフィルタを有することを特徴とする表示装置。
【請求項５】
請求項１乃至４のいずれか一において、
前記第２の表示素子部は、液晶素子を有することを特徴とする表示装置。
【請求項６】
請求項１乃至５のいずれか一に記載の表示装置を具備した電子機器。
【手続補正書】
【提出日】平成26年2月14日(2014.2.14)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
基板上方に設けられたゲート電極と、
前記ゲート電極上方に設けられたゲート絶縁膜と、
前記ゲート絶縁膜上方に設けられた半導体膜と、
前記半導体膜上方に設けられた第１の電極と、
前記半導体膜上方に設けられた第２の電極と、
前記半導体膜と前記第１の電極との間に設けられた第１の不純物半導体膜と、
前記半導体膜と前記第２の電極との間に設けられた第２の不純物半導体膜と、
前記半導体膜と前記第１の不純物半導体膜との間に設けられた第１の非晶質半導体領域と、
前記半導体膜と前記第２の不純物半導体膜との間に設けられた第２の非晶質半導体領域と、を有し
前記半導体膜は、前記ゲート絶縁膜側において、結晶粒と、前記結晶粒の間を充填するように設けられた非晶質半導体を有する第１の領域を有し、
前記半導体膜は、前記第１の非晶質半導体領域側において、前記第１の領域よりも結晶性の高い第２の領域を有し、
前記半導体膜は、前記第２の非晶質半導体領域側において、前記第１の領域よりも結晶性の高い第３の領域を有することを特徴とする半導体装置。
【請求項２】
請求項１において、
前記半導体膜と前記第１の電極との間に設けられた第１の絶縁領域と、
前記半導体膜と前記第２の電極との間に設けられた第２の絶縁領域と、を有し、
前記第１の絶縁領域は、前記半導体膜の側面、前記第１の非晶質半導体領域の側面、並びに前記第１の不純物半導体膜の側面及び上面に接する領域を有し、
前記第２の絶縁領域は、前記半導体膜の側面、前記第２の非晶質半導体領域の側面、並びに前記第２の不純物半導体膜の側面及び上面に接する領域を有することを特徴とする半導体装置。
【請求項３】
基板上方に設けられたゲート電極と、
前記ゲート電極上方に設けられたゲート絶縁膜と、
前記ゲート絶縁膜上方に設けられた半導体膜と、
前記半導体膜上方に設けられた第１の電極と、
前記半導体膜上方に設けられた第２の電極と、
前記半導体膜と前記第１の電極との間に設けられた第１の非晶質半導体領域と、
前記半導体膜と前記第２の電極との間に設けられた第２の非晶質半導体領域と、を有し
前記半導体膜は、前記ゲート絶縁膜側において、結晶粒と、前記結晶粒の間を充填するように設けられた非晶質半導体を有する第１の領域を有し、
前記半導体膜は、前記第１の非晶質半導体領域側において、前記第１の領域よりも結晶性の高い第２の領域を有し、
前記半導体膜は、前記第２の非晶質半導体領域側において、前記第１の領域よりも結晶性の高い第３の領域を有することを特徴とする半導体装置。
【手続補正書】
【提出日】平成26年2月3日(2014.2.3)
【手続補正１】
【補正対象書類名】明細書
【補正対象項目名】発明の名称
【補正方法】変更
【補正の内容】
【発明の名称】半導体メモリ装置及び半導体メモリ装置の駆動方法
【手続補正２】
【補正対象書類名】特許請求の範囲
【補正対象項目名】全文
【補正方法】変更
【補正の内容】
【特許請求の範囲】
【請求項１】
基板上に設けられた第１乃至第４の配線と、複数の記憶セルと、を有するマトリクス状の半導体メモリ装置において、
前記第１の配線は、第１の方向に沿うように設けられた領域を有し、
前記第２の配線は、前記第１の方向に沿うように設けられた領域を有し、
前記第３の配線は、第２の方向に沿うように設けられた領域を有し、
前記第４の配線は、前記第２の方向に沿うように設けられた領域を有し、
前記第１の方向と前記第２の方向とは交差し、
前記複数の記憶セルの少なくとも１つは、第１のトランジスタと、第２のトランジスタと、キャパシタと、を有し、
前記第１のトランジスタのソースまたはドレインの一方は、前記第２のトランジスタのゲート及び前記キャパシタの一方の電極と電気的に接続され、
前記第１のトランジスタのゲートは、前記第１の配線と電気的に接続され、
前記第１のトランジスタのソースまたはドレインの他方及び前記第２のトランジスタのソースまたはドレインの一方は、前記第３の配線と電気的に接続され、
前記第２のトランジスタのソースまたはドレインの他方は、前記第４の配線と電気的に接続され、
前記キャパシタの他方の電極は、前記第２の配線と電気的に接続され、
前記第３の配線は、前記第１の配線と前記基板との間に設けられていることを特徴とする半導体メモリ装置。
【請求項２】
前記第４の配線は前記第３の配線と同じ材料で形成されていることを特徴とする請求項１の半導体メモリ装置。
【請求項３】
前記第２のトランジスタのゲートは前記第３の配線と同じ材料で形成されていることを特徴とする請求項１または２に記載の半導体メモリ装置。
【請求項４】
前記第２のトランジスタのゲートは前記第１のトランジスタの半導体層と接していることを特徴とする請求項１乃至３のいずれか一に記載の半導体メモリ装置。
【請求項５】
前記第３の配線は前記第１のトランジスタの半導体層と接していることを特徴とする請求項１乃至４のいずれか一に記載の半導体メモリ装置。
【請求項６】
前記基板は半導体基板であることを特徴とする請求項１乃至５のいずれか一に記載の半導体メモリ装置。
【請求項７】
前記第２の配線の幅が前記第１の配線の幅の０．５倍以上１．５倍以下であることを特徴とする請求項１乃至６のいずれか一に記載の半導体メモリ装置。
【請求項８】
請求項１乃至７のいずれか一に記載の半導体メモリ装置において、
データの書き込み時には、前記第４の配線の電位を前記第３の配線の電位より高くすることを特徴とする半導体メモリ装置の駆動方法。
【手続補正書】
【提出日】平成26年2月14日(2014.2.14)
【手続補正１】
【補正対象書類名】明細書
【補正対象項目名】発明の名称
【補正方法】変更
【補正の内容】
【発明の名称】半導体装置の作製方法
【手続補正２】
【補正対象書類名】特許請求の範囲
【補正対象項目名】全文
【補正方法】変更
【補正の内容】
【特許請求の範囲】
【請求項１】
基板上に酸化物半導体膜を形成する工程と、
前記酸化物半導体膜に４００℃以上７５０℃以下の熱処理を行う工程と、
前記熱処理後、前記酸化物半導体膜上に絶縁膜を形成する工程と、
前記絶縁膜上に、前記酸化物半導体膜と重なるようにゲート電極を形成する工程と、
前記ゲート電極をマスクとして、前記酸化物半導体膜の一部に自己整合的に希ガスを添加する工程と、を有し、
前記酸化物半導体膜は、Ｉｎ、Ｇａ、及びＺｎを有し、
前記希ガスを添加する工程において、前記基板にバイアスを印加しながら、前記希ガスを用いて前記酸化物半導体膜にプラズマ処理を行うことを特徴とする半導体装置の作製方法。
【請求項２】
基板上に酸化物半導体膜を形成する工程と、
前記酸化物半導体膜に４００℃以上７５０℃以下の熱処理を行う工程と、
前記熱処理後、前記酸化物半導体膜上に絶縁膜を形成する工程と、
前記絶縁膜上に、前記酸化物半導体膜と重なるようにゲート電極を形成する工程と、
前記ゲート電極をマスクとして、前記酸化物半導体膜の一部に自己整合的に希ガスを添加する工程と、を有し、
前記酸化物半導体膜は、Ｉｎ、Ｇａ、及びＺｎを有することを特徴とする半導体装置の作製方法。
【請求項３】
請求項１又は２において、
前記酸化物半導体層は、実質的に真性な半導体領域を有することを特徴とする半導体装置の作製方法。
【請求項４】
請求項１乃至３のいずれか一において、
前記ゲート電極は、１μｍ未満の幅を有する領域を含むことを特徴とする半導体装置の作製方法。